(57)【要約】【課題】  室内機の吹き出す空気温度の過剰な低下をユーザが任意に抑制でき、快適性を向上させた空気調和機の室内機および空気調和機を提供する。【解決手段】  室内の空気を吸い込む吸込口と、該吸込口から吸い込んだ空気と冷媒とを熱交換させる室内熱交換器と、該室内熱交換器に送風する送風機と、室内に空気を吹き出す吹出口と、前記吹出口から吹き出す空気の温度を検知する吹出空気センサと、を備えた空気調和機の室内機において、前記吹出空気センサが検知する吹出空気温度の低下を制限する抑制モードを実行する制御手段を備え、ユーザが外部に設けられたリモコンにより前記抑制モードを選択した場合に、前記制御手段は前記抑制モードを実行する。【選択図】図５
2015137794.tif 000002
【特許請求の範囲】
【請求項１】
室内の空気を吸い込む吸込口と、該吸込口から吸い込んだ空気と冷媒とを熱交換させる室内熱交換器と、該室内熱交換器に送風する送風機と、室内に空気を吹き出す吹出口と、前記吹出口から吹き出す空気の温度を検知する吹出空気センサと、を備えた空気調和機の室内機において、
前記吹出空気センサが検知する吹出空気温度の低下を制限する抑制モードを実行する制御手段を備え、
ユーザが外部に設けられたリモコンにより前記抑制モードを選択した場合に、前記制御手段は前記抑制モードを実行することを特徴とする空気調和機の室内機。
【請求項２】
請求項１に記載の空気調和機の室内機において、
前記リモコンは、ユーザの操作によって、前記抑制モードで制限される前記吹出空気温度の下限を設定する設定手段を備えることを特徴とする空気調和機の室内機。
【請求項３】
請求項２に記載の空気調和機の室内機において、
前記設定手段は、予め用意された複数の設定パターンから室内吹出空気温度の下限を設定することを特徴とする空気調和機の室内機。
【請求項４】
請求項２に記載の空気調和機の室内機において、
前記設定手段は、１２℃〜１８℃の間で室内吹出空気温度の下限を設定することを特徴とする空気調和機の室内機。
【請求項５】
請求項１に記載の空気調和機の室内機において、
前記抑制モードは、ユーザにより設定された室内の設定温度をプラス側に補正することで前記吹出空気温度の低下を制限することを特徴とする空気調和機の室内機。
【請求項６】
請求項１に記載の空気調和機の室内機おいて、
前記吸込口から吸い込む空気の温度を検知する吸込空気センサを備え、
前記吸込空気センサが検知する吸込空気温度と、ユーザが設定した室内の設定温度との差が所定以上の場合、前記リモコンにより前記抑制モードが選択されても前記抑制モードを実行しないことを特徴とする空気調和機の室内機。
【請求項７】
請求項１から請求項６までのいずれか一つに記載の空気調和機の室内機を備えることを特徴とする空気調和機。
【請求項８】
請求項７に記載の空気調和機において、
冷媒を圧縮する圧縮機を有する室外機を備え、
前記抑制モードが選択された後に、前記吹出空気温度が所定以下となった場合、前記圧縮機の回転数を低下または停止させることを特徴とする空気調和機。
【請求項９】
請求項７に記載の空気調和機において、
前記リモコンは、ユーザの操作によって、前記抑制モードにより制限される前記吹出空気温度の下限を設定する設定手段を備え、
設定温度が補正された後に、所定以上の時間が経過しても前記吹出空気温度が所定以下にならない場合は前記圧縮機の運転を停止させることを特徴とする空気調和機。
【発明の詳細な説明】
【技術分野】
【０００１】
本発明は、空気調和機の室内機およびこれを備える空気調和機に関する。
【背景技術】
【０００２】
従来、冷房運転時に室内機が吹き出す空気が低下し過ぎるとユーザは不快と感じることがあったため、圧縮機及び室外熱交換器を有する室外機と、室内熱交換器、室内吸込空気センサ及び室内吹出空気センサを有する室内機とを備える空気調和機において、冷房運転時に前記室内吹出空気温度センサで検出した室内吹出空気温度と前記室内吸込空気温度センサで検出した室内吸込空気温度に応じて、前記室内機の設定温度を演算し、前記室内吹出空気温度が所定の温度以下になった場合、前記室内機の運転を停止させることを特徴とする空気調和機がある（例えば特許文献１）。
【先行技術文献】
【特許文献】
【０００３】
【特許文献１】特許第５０５４９３５号公報
【発明の概要】
【発明が解決しようとする課題】
【０００４】
しかし、室内機から吹き出す空気の温度が快適と感じるか否かは空気調和機を利用するユーザによって異なる。つまり、特許文献１に記載の空気調和機では、ユーザが吹出空気温度の低下を抑制するか否か、また、どの程度抑制するかについては任意に設定できないため、所望の吹出空気温度が得られず快適性が損なわれる場合がある。
【０００５】
本発明は、上記のような問題を鑑み、室内機の吹き出す空気温度の過剰な低下をユーザが任意に抑制でき、快適性を向上させた空気調和機の室内機および空気調和機を提供することを目的とする。
【課題を解決するための手段】
【０００６】
上記課題を解決するために、本発明は、室内の空気を吸い込む吸込口と、該吸込口から吸い込んだ空気と冷媒とを熱交換させる室内熱交換器と、該室内熱交換器に送風する送風機と、室内に空気を吹き出す吹出口と、前記吹出口から吹き出す空気の温度を検知する吹出空気センサと、を備えた空気調和機の室内機において、前記吹出空気センサが検知する吹出空気温度の低下を制限する抑制モードを実行する制御手段を備え、ユーザが外部に設けられたリモコンにより前記抑制モードを選択した場合に、前記制御手段は前記抑制モードを実行することを特徴とする。
【発明の効果】
【０００７】
本発明によれば、室内機の吹き出す空気温度の過剰な低下をユーザが任意に抑制でき、快適性を向上させた空気調和機の室内機および空気調和機を提供することができる。
【図面の簡単な説明】
【０００８】
【図１】本発明の実施例に係る空気調和機室内ユニットの構造図を示す。
【図２】本発明の実施例に係るリモコンスイッチの外観図を示す。
【図３】本発明の実施例に係るリモコンスイッチの設定画面図を示す。
【図４】本発明の実施例に係る抑制モードを実行しない場合の室内吹出温度に関わる制御のフローチャートを示す。
【図５】本発明の実施例に係る室内吹出空気温度の下がり過ぎを防止する抑制モードを実行する場合のフローチャートを示す。
【発明を実施するための形態】
【０００９】
以下本発明の実施例を図面に基づき説明する。
【実施例１】
【００１０】
図１〜５を用いて本発明の実施例を説明する。図１は、室内機１の外観と内部構造を示す図である。図１において、空気調和機の室内ユニット本体を示す室内機１の内部には、空気調和機の作動流体となる冷媒と室内空気とを熱交換させる室内熱交換器３、この室内熱交換器３に結露した凝縮水を受けるドレンパン４、室内熱交換器に送風を行う送風機５、この送風機５を駆動するファンモータ６、室内機１内に空気を吸い込む吸込口（図示せず）および吸い込んだ空気の温度を検知する吸込空気センサ７、室内に空気を吹き出す吹出口（図示せず）および吹き出す空気の温度を検知する吹出空気センサ８が配置され、その下部には開口部を覆うように化粧パネル９が装着されている。
【００１１】
また、図示しないが、室内機１は冷媒配管により室外に配置される室外機と接続される。室外機は、室内機１および室外機を循環する冷媒を圧縮させる圧縮機、室外空気と冷媒とを熱交換させる室外熱交換器、この室外熱交換器に送風を行う送風機、が備えられている。
【００１２】
図２は、ユーザが室内機の動作について各種設定が行えるリモコンの外観図を示す。図２において、前記空気調和機を操作するリモコンスイッチ本体１０には、設定状態等の表示手段である液晶画面１１、室内機１の運転をＯＮ／ＯＦＦする運転／停止ボタン１２、各種設定を選択できる設定画面２１を液晶画面１１に表示するメニューボタン１３、節電ボタン１４、戻る／ガイドボタン１５、操作決定ボタン１６、上ボタン１７、下ボタン１８、左ボタン１９、右ボタン２０を備えている。
【００１３】
つぎに、リモコンでの室内吹出空気温度の下がり過ぎを防止する抑制モードの設定方法について説明する。図３は、リモコンのメニューボタン１３を押した後の設定画面２１を示す。室内機１には、吹出口から吹き出される吹出空気温度が過剰に低下することを制限する抑制モードが予め用意される。設定画面２１は、リモコンの左ボタン１９及び右ボタン２０にて、「無効」及び「弱」「中」「強」の抑制モードの制限度合いが異なる複数の設定パターンから選択を可能とする。それぞれの設定パターンでは、吹出空気温度を所定以下に下げないようにする下限が異なっており、ユーザは自身に適した設定パターンを選択することができる。
【００１４】
なお、「弱」「中」「強」は、文字でなく例えば「１８℃」「１６℃」「１２℃」などの室内吹出空気温度の目標値を選択させるものや１２℃〜１８℃の間で１℃刻みに数値により吹出空気温度の下限値を選択できるものでも良い。
【００１５】
つぎに、室内吹出空気温度の下がり過ぎを防止する抑制手段について説明する。図４は、抑制モードが実行されていないときの一般的な室内吹出温度に関わる制御を抜粋したフローチャートであり、以下に説明する。ユーザのリモコン操作により冷房運転を行うとき、目標室温となる設定温度が設定される。室内機１は、室内室温と同等である吸込口から吸い込んだ吸込空気温度を設定された設定温度へ近づけるための制御を行う。
【００１６】
具体的には、室内機１で設定された設定温度に基いて必要な空調能力を決定し、この空調能力に応じて室外機の圧縮機および室内機の送風機が所定の回転数で駆動される。
【００１７】
その際、吸込空気温度と設定温度とを比較し、その差が吸込空気温度の方が所定より高い場合（例えば４℃に設定され、以降４℃として説明する）には、室内をより冷やす必要があると判断し、圧縮機の回転数を上昇させる。これにより、目標の設定温度よりも室温が所定以上高い不快な状態から早期に室温を下降させることができ、快適性を向上させることができる。しかし、この時、冷媒の循環量が増えることにより、吹出空気温度は、反ってユーザにとって不快となるくらい過剰に低くなってしまう場合がある。
【００１８】
また、吸込空気温度と設定温度とを比較し、例えばその差が４℃以下の場合には、室温は設定温度に近づいていると判断し、圧縮機の回転数を低下させる。この時、吹出空気温度は、冷媒の循環量が減ることにより高くなる。
【００１９】
この制御によると設定温度に対して冷媒循環量を制御しており吹出空気温度を制御していない。すなわち、上述のとおり、吸込温度よりも設定温度が所定以上高い場合に圧縮機の回転数を上昇させて吹出空気温度を低下させる制御では、吹出空気温度が過剰に低下してしまいユーザの快適性を損なう虞がある。
【００２０】
図５は、リモコンから室内吹出空気温度の下がり過ぎを防止する抑制モードを有効とした場合のフローチャートの一例である。抑制モードを有効とした場合に、まず吹出空気センサ８が検知する吹出空気温度と、抑制モードが実行されることで設定される目標吹出温度とを比較する。ここで、目標吹出温度よりも実際の吹出空気温度の方が低い場合には、ユーザにより設定される室内の設定温度をプラス側に補正する。次の工程では、図４と同様に吸込温度と設定温度が比較されるが、このときの設定温度は一つ前の工程で補正された設定温度が用いられる。
【００２１】
ここで、補正により設定温度が高くなっていてもなお、吸込温度と設定温度との差が４℃以上である場合には圧縮機の回転数を上昇させる制御により吹出温度が低下するが、そのあと吹出温度を比較する工程に戻り、補正された設定温度がさらに補正されるため、最終的に吹出温度を上昇させる制御が行われる。つまり、吹出空気センサ８が検知する実際の吹出空気温度が目標吹出温度より大きくなるまで設定温度をプラス側に補正する調整が行われるため、吹出空気温度の低下抑制を優先させながら冷房運転を行うことができる。
【００２２】
この冷房運転では、ユーザにより設定されるユーザ設定温度と、吹出空気温度を抑制するため補正された補正設定温度の両方が保持され、圧縮機の運転は吸込温度がユーザ設定温度に達するまで続けられる。そして、圧縮機の回転数は補正設定温度に基いて制御されるため、抑制モードを実行しない場合よりも圧縮機の回転数は低くなり、吹出空気温度は高くなる。これにより、ユーザ設定温度に達するまでの空調時間は長くなってしまうが、ユーザが不快と感じない吹出空気温度により緩やかに室温を低下させることができる。
【００２３】
なお、設定温度を補正した場合においてもリモコンの液晶画面１１にはユーザが設定した設定温度を表示しておくようにする。
【００２４】
以上の構成により、吹出温度の過剰な低下を抑制することができる。そして、ユーザは吹出温度の抑制度合いを任意に設定することができるため、より快適性を向上することができる。
【００２５】
以降から、本実施形態を変形した他の実施例について説明する。なお、本実施形態と同様の構成については説明を省略し、変更箇所について説明する。
【実施例２】
【００２６】
図５のフローチャートに示す制御では、設定温度を補正したあとに、吸込温度と設定温度の差を比較するが、本実施例では、所定以上の差がある場合（例えば、４℃より大きい場合）には、圧縮機の回転数を上昇させ吹出温度を低下させたあとに行う温度補正の工程をスキップさせる。つまり、抑制モードが選択されていても吸込温度と設定温度に所定以上の差がある場合には、室温が非常に高い状態であるとして室内空調を優先して設定温度を補正せず、吹出温度の制限を行わないようにする。もしくは、抑制モードを無効として実行しないようにする。
【００２７】
これにより、室温を示す吸込温度が設定温度に対して高過ぎる場合にも、吹出温度の低下抑制よりも室温を下げる制御を優先するため、吹出空気温度よりも室温による不快感の方が高い環境であってもユーザの快適性を向上させることができる。
【実施例３】
【００２８】
図５のフローチャートに示す制御では、設定温度を繰り返し補正することで、最終的に吹出温度を上昇させるが、室外気温が低すぎる場合には、吹出温度が目標吹出温度に上がるまでに時間が掛かるか、もしくは、目標吹出温度まで上がり切らない場合がある。
【００２９】
そこで、本実施例では、設定温度が補正されたあとに所定の時間が経過しても吹出温度が目標吹出温度以上とならない場合に、圧縮機の運転を停止させる制御を行う。
【００３０】
これにより、室外気温の条件等により、吹出温度を上昇させるのに時間がかかり過ぎる場合や、圧縮機の回転数を低下させるだけでは、目標吹出温度まで上昇させることができない場合にも、早期に吹出温度を上昇させることができるため、ユーザの快適性を損なうことがない。
【符号の説明】
【００３１】
１…室内機、３…室内熱交換器、４…ドレンパン、５…送風機、６…ファンモータ、７…吸込空気センサ、８…吹出空気センサ、９…化粧パネル、１０…リモコンスイッチ本体、１１…液晶画面、１２…運転／停止ボタン、１３…メニューボタン、１４…節電ボタン、１５…戻る／ガイドボタン、１６…決定ボタン、１７…上ボタン、１８…下ボタン、１９…左ボタン、２０…右ボタン、２１…設定画面
【図１】
2015137794.tif 000003
【図２】
2015137794.tif 000004
【図３】
2015137794.tif 000005
【図４】
2015137794.tif 000006
【図５】
2015137794.tif 000007